【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御し、特別条件が成立したときに、当該特定遊技状態の終了後に、当該特定遊技状態とは異なる遊技者にとって有利な特別遊技状態に移行させる遊技機であって、
前記特定遊技状態に制御するか否か、および、前記特別遊技状態に移行させるか否かを、前記識別情報の表示結果が導出表示される以前に決定する事前決定手段と、
前記特別遊技状態に移行するか否かを、前記特定表示結果が表示されたタイミングで報知せず、前記特定表示結果が表示された後、前記特別遊技状態に移行するまでの間の所定タイミングにおいて報知する複数の移行報知演出のうちから、実行する移行報知演出を、前記事前決定手段による決定に基づいて決定する移行報知演出決定手段と、
該移行報知演出決定手段により決定された移行報知演出を実行する移行報知演出実行手段とを含み、
前記移行報知演出決定手段は、
前記移行報知演出の態様に基づいて分類された複数種類の移行報知演出種別のうちいずれの移行報知演出種別に属する移行報知演出を実行するかを決定する移行報知種別決定手段と、
該移行報知種別決定手段により決定された移行報知演出種別に属する移行報知演出のうちから実行する移行報知演出を決定する移行報知決定手段とを含むことを特徴とする、遊技機。
【請求項２】
前記移行報知決定手段が決定する移行報知演出は、
前記特別遊技状態に移行するか否かを前記特定遊技状態が終了したタイミングで報知する第１の移行報知演出と、
前記特別遊技状態に移行するか否かを前記特定遊技状態が終了する前のタイミングで報知する第２の移行報知演出とを含み、
前記第１の移行報知演出は、前記第２の移行報知演出よりも、前記特別遊技状態に移行することを報知する割合が高いことを特徴とする、請求項１に記載の遊技機。
【請求項３】
遊技者が操作可能な操作手段をさらに含み、
前記移行報知決定手段が決定する移行報知演出は、前記操作手段に対する操作がされたことを条件として前記移行報知演出実行手段により実行される操作時移行報知演出を含むことを特徴とする、請求項１または２に記載の遊技機。
【請求項４】
前記遊技機に対する電力供給が停止したときにバックアップ電源により実行中の制御データを記憶保持するバックアップ記憶手段と、
電力供給が再開されたときに、前記バックアップ記憶手段に記憶保持された制御データに基づいて、遊技状態を復旧させるバックアップ復旧手段とを備え、
前記移行報知演出実行手段は、前記事前決定手段が前記特別遊技状態に移行させることを決定した後、前記移行報知演出が完了する前に前記遊技機に対する電力供給が停止したときに、該電力供給が復旧した後、前記移行報知演出決定手段の決定に関わらず、前記特別遊技状態に移行する旨を前記特定遊技状態の終了に関するタイミングで報知することを特徴とする、請求項１から３のいずれかに記載の遊技機。
【請求項５】
前記事前決定手段の決定結果に基づいて、前記特定遊技状態に制御される可能性があることを報知する予告演出として、予め定められた系統にしたがって１段階から複数段階まで演出が段階的に変化し、前記特定遊技状態に制御される場合に前記特定遊技状態に制御されない場合よりも高い割合で予め定められた段階まで演出が変化するステップアップ予告演出を実行することを決定するステップアップ予告演出決定手段と、
該ステップアップ予告演出決定手段の決定結果にしたがって、前記ステップアップ予告演出を実行するステップアップ予告演出実行手段とを備え、
前記ステップアップ予告演出決定手段は、
予め定められた通常系統で演出が段階的に変化する通常ステップアップとするか、所定段階までは前記通常系統と共通の演出に変化し、前記所定段階以降は前記通常系統と異なる演出に変化する分岐系統で演出が段階的に変化する分岐ステップアップとするかと、前記ステップアップの変化の段階数とを決定することにより予告演出としてのステップアップ演出態様を決定するステップアップ演出態様決定手段を含むことを特徴とする、請求項１から４のいずれかに記載の遊技機。
【請求項６】
遊技者が操作可能な操作手段をさらに含み、
前記ステップアップ予告演出実行手段は、前記ステップアップ予告演出決定手段により前記分岐ステップアップに決定されたときに、該分岐ステップアップにおける前記所定段階以降の演出として、前記操作手段が操作されたことを条件として実行される操作予告演出を実行することを特徴とする、請求項５に記載の遊技機。
【請求項７】
遊技媒体を用いて１ゲームに対して所定数の賭数を設定することによりゲームを開始させることが可能となり、各々を識別可能な複数種類の入賞用識別情報を変動表示させる入賞用変動表示部に表示結果が導出されることにより１ゲームが終了し、該入賞用変動表示部に導出された表示結果に応じて入賞が発生可能である遊技機であって、
前記入賞用変動表示部の表示結果が導出される前に、遊技者にとって有利な特定遊技状態への移行を伴う特定入賞を含む複数種類の入賞各々の発生を許容するか否かを決定する入賞用事前決定手段と、
前記入賞用事前決定手段の決定結果に応じて、前記入賞用変動表示部に表示結果を導出させる制御を行なう入賞用導出制御手段と、
前記特定入賞に対応する特定入賞表示結果が前記入賞用変動表示部に導出されたときに、前記特定遊技状態に制御する特定遊技状態制御手段と、
各々を識別可能な複数種類の演出用識別情報を変動表示する演出用変動表示部と、
前記演出用変動表示部における演出用識別情報の表示結果が予め定められた特殊表示結果となることによって、遊技者にとって有利な有利遊技価値を付与する付与条件が成立していることを示唆する示唆演出手段と、
前記特殊表示結果とするか否かを、演出用識別情報の表示結果が導出表示される以前に決定する演出用事前決定手段と、
前記有利遊技価値として通常有利遊技価値より有利な特別有利遊技価値を付与するか否かを、前記特殊表示結果が表示されたタイミングで報知せず、前記特殊表示結果が表示された後、前記特別有利遊技価値が付与されたか判別できるまでの所定タイミングにおいて報知する複数の移行報知演出のうちから、実行する移行報知演出を、前記演出用事前決定手段による決定に基づいて決定する移行報知演出決定手段と、
該移行報知演出決定手段により決定された移行報知演出を実行する移行報知演出実行手段とを含み、
前記移行報知演出決定手段は、
前記移行報知演出の態様に基づいて分類された複数種類の移行報知演出種別のうちいずれの移行報知演出種別に属する移行報知演出を実行するかを決定する移行報知種別決定手段と、
該移行報知種別決定手段により決定された移行報知演出種別に属する移行報知演出のうちから実行する移行報知演出を決定する移行報知決定手段とを含むことを特徴とする、遊技機。
【手続補正２】
【補正対象書類名】明細書
【補正対象項目名】００１５
【補正方法】変更
【補正の内容】
【００１５】
（４）  前記遊技機に対する電力供給が停止したときにバックアップ電源（演出制御の変形例３におけるバックアップ電源）により実行中の制御データを記憶保持するバックアップ記憶手段（演出制御用マイクロコンピュータにおけるＲＡＭ）と、
電力供給が再開されたときに、前記バックアップ記憶手段に記憶保持された制御データに基づいて、遊技状態を復旧させるバックアップ復旧手段（演出制御の変形例３に示す演出状態復旧処理）とを備え、
前記移行報知演出実行手段は、前記事前決定手段が前記特別遊技状態に移行させることを決定した後、前記移行報知演出が完了する前に前記遊技機に対する電力供給が停止したときに、該電力供給が復旧した後、前記移行報知演出決定手段の決定に関わらず、前記特別遊技状態に移行する旨を前記特定遊技状態の終了に関するタイミングで報知する（昇格演出を実行することが決定されている場合に電源断状態となったときには、電力供給が復旧したときに、元に決定されていたタイミングで昇格演出を実行せずに、エンディング表示が行なわれるタイミングで昇格演出を実行する制御を行なう）。
【手続補正３】
【補正対象書類名】明細書
【補正対象項目名】００１６
【補正方法】変更
【補正の内容】
【００１６】
このような構成によれば、特別遊技状態に移行させることを決定した後、移行報知演出が完了する前に遊技機に対する電力供給が停止したときに、電力供給が復旧した後、決定された移行報知演出に関わらず、特別遊技状態に移行する旨を特定遊技状態の終了に関するタイミングで報知するので、電力供給の停止後電力供給が復旧したときには、予め固定的に定められたタイミングで昇格演出を実行することができるため、電力供給が復旧したときの演出制御が複雑化するのを防ぐことができる。